(57)【特許請求の範囲】
【請求項１】
合成樹脂製の本体ハウジング内に、モータで回転するファンを設け、前記ファンの回転により、前記本体ハウジングに設けた吸入筒から粉塵を吸い込んで排出筒から排出可能とすると共に、前記排出筒に、ダストバッグの開口を結合した筒体を連結することで、前記排出筒から排出される粉塵を前記筒体を介して前記ダストバッグに回収可能としたブロワであって、
前記ファンとその回転軸との少なくとも一方と、前記筒体とを夫々導電性材料で形成し、前記本体ハウジングに、前記排出筒へ連結された前記筒体と一端が接触する導電体を設け、前記導電体の他端を、前記導電性材料で形成された前記ファン又は前記回転軸に近接させたことを特徴とするブロワ。
【発明の詳細な説明】
【０００１】
【発明の属する技術分野】
本発明は、本体ハウジング内に、モータで回転するファンを設け、ファンの回転により、本体ハウジングに設けた吸入筒から粉塵を吸い込んで排出筒から排出可能としたブロワに関する。
【０００２】
【従来の技術】
ブロワは、円形の本体ハウジング内でモータによってファンを回転させて、ファンの中心に当たる本体ハウジングの吸入筒から空気を吸い込んで本体ハウジング内に導き、本体ハウジングの接線方向に形成された排出筒から排出可能となっている。よって、排出筒にダストバッグの開口を結合した筒体を連結することで、空気と共に吸い込んだ粉塵をダストバッグに回収可能となる。
【０００３】
【発明が解決しようとする課題】
ところで、本体ハウジングが合成樹脂製であると、吸入筒から吸い込まれた粉塵が本体ハウジング内を通過する際、本体ハウジングとの摩擦により静電気を発生させることがある。帯電列によれば、例えばナイロン製の本体ハウジングは（＋）に、粉塵は（−）に帯電する。そして、（＋）電荷は本体ハウジングやファン、モータ等に集電される一方、（−）電荷は粉塵と共にダストバッグ内に集まる。このため、集塵作業の進行に伴って高い帯電圧の静電気となってしまう。よって、作業者が本体ハウジングに触れたり、本体ハウジングと一体のハンドル等を握ったりする際に、作業者の手に放電し、作業者に不快感を与えることになる。
これは、ダストバッグ側でも同様で、ダストバッグに溜まった（−）電荷は、筒体自体も合成樹脂で形成されることが多いため、放電経路がなく、粉塵の増加に伴って高い帯電圧の静電気となり、ダストバッグに作業者の手が触れたり接近したりすると放電してしまう。
【０００４】
そこで、請求項１に記載の発明は、本体ハウジング側とダストバッグ側との帯電を効果的に抑制し、静電気により使用感を損ねることがないブロワを提供することを目的としたものである。
【０００５】
【課題を解決するための手段】
上記目的を達成するために、請求項１に記載の発明は、前記ファンとその回転軸との少なくとも一方と、前記筒体とを夫々導電性材料で形成し、前記本体ハウジングに、前記排出筒へ連結された前記筒体と一端が接触する導電体を設け、前記導電体の他端を、前記導電性材料で形成された前記ファン又は前記回転軸に近接させたことを特徴とするものである。
【０００６】
【発明の実施の形態】
以下、本発明の実施の形態を図面に基づいて説明する。
図１は充電式ブロワ１の正面図で、二分割される半割ハウジング３，４からなる円形状の本体ハウジング２（ここではナイロン製）において、半割ハウジング３の中央には、直流モータを内蔵した図示しないモータハウジングが連設され、モータハウジングにハンドル５が一体に連結されている。６は、ハンドル５の下端に装着された電源としてのバッテリーパックである。又、本体ハウジング２内には、図２の如く、モータ軸に圧入される金属製のスピンドル７が突出すると共に、そのスピンドル７に円盤状のファン８が固着されており、直流モータの駆動に伴うファン８の回転により、半割ハウジング４の前面中央に形成された吸入筒９から空気を吸い込み、本体ハウジング２の接線方向に延設された排出筒１０から排気可能となっている。
【０００７】
更に、排出筒１０には、ダストバッグアッセンブリ１１が装着される。このダストバッグアッセンブリ１１は、排出筒１０に連結可能で、一体に枠１３を形成した筒体１２と、その枠１３を内部に納めた状態で開口を筒体１２に結合されるダストバッグ１４とからなり、排出筒１０と筒体１２との連結は、筒体１２を排出筒１０に外嵌して、筒体１２の内面に突設されたピン１５，１５を排出筒１０のＬ字状のガイド溝１６，１６に進入させて回転させるバヨネット結合による。尚、半割ハウジング４の吸入筒９にも、同様のバヨネット結合によってノズルが着脱可能となっている。そして、筒体１２は、枠１３と共に導電性樹脂（カーボン入ポリプロピレン）で一体成形されて導電性を付与されている。
一方、半割ハウジング３の内面には、ガイド溝１６からスピンドル７の貫通孔３ａに至る凹溝１７が連続形成されており、この凹溝１７に、導電体としてのアースプレート１８，１９が配置されている。アースプレート１８，１９は、互いに重合する端部を凹溝１７内に突設された突起２０に夫々挿入させることで互いに連結されるもので、アースプレート１８の先端は、貫通孔３ａの縁で貫通孔３ａの内周に沿って折り返されてスピンドル７に近接し、アースプレート１９の先端は、ガイド溝１６の縁で外方に折り返されて排出筒１０の外部に露出している。よって、ダストバッグアッセンブリ１１の装着状態では、筒体１２とアースプレート１９とが接触し、アースプレート１８まで導通状態となる。
【０００８】
以上の如く構成された充電式ブロワ１は、直流モータを駆動させると、ファン８が回転して、吸入筒９に装着したノズル等を介して空気と共に粉塵を吸い込み、本体ハウジング２内を介して排出筒１０からダストバッグ１４内へ排出する。この時、粉塵が木屑等の（−）に帯電しやすい材料であれば、その粉塵は本体ハウジング２を通過する際、本体ハウジング２との摩擦によって（−）に帯電する静電気を生じさせ、スピンドル７やファン８等は（＋）に帯電する。このため、集塵作業の進行に伴い、粉塵の吸入の増加に従って帯電圧が高くなる。
一方、（−）に帯電した粉塵は、ダストバッグ１４へ貯留する前に筒体１２や枠１３に接触することで、（−）電荷は筒体１２へ落とされ、更に筒体１２と導通するアースプレート１９及びアースプレート１８に落とされる。よって、アースプレート１８の先端と近接するスピンドル７との間で放電してファン８や直流モータ側と導通するため、ファン８や直流モータに帯電していた（＋）の電荷と結合して消滅（中和）する。同様に、本体ハウジング２に帯電した（＋）電荷も、アースプレート１８，１９に落とされる（−）電荷と結合して消滅する。
【０００９】
このように上記形態によれば、ダストバッグ１４を結合する筒体１２とスピンドル７とを導電性材料で形成し、筒体１２に接触させたアースプレート１８，１９をスピンドル７に近接させているから、回転するスピンドル７との間であっても、金属間に生じる放電を利用して、作業中に発生する本体ハウジング２やファン８、直流モータ側の静電気と、ダストバッグ１４に発生する静電気とを中和させることができる。よって、作業者がハンドル５を持つ際やダストバッグ１４に手が触れたりする際に、静電気による放電が生じず、使用感を損ねることがないのである。
【００１０】
尚、上記形態では、アースプレート１８，１９をスピンドル７に近接させて両者の導通を図っているが、ファン８が金属製であれば、スピンドル７までアースプレート１８，１９を伸ばす必要はなく、ファン８と近接して放電できるようにファン外周付近までにとどめても良い。
又、導電体は、導電性材料で形成されるファン又はスピンドルに近接できるものであれば、２本のアースプレート１８，１９の形態に限らず、１本でも良いし、逆に３本以上を連結して形成することもでき、形状も、プレート状に限らず、針金等の棒状体でも採用可能である。
更に、本発明は、充電式に限らず、電源が商用電源のブロワでも適用可能であるが、電源が商用電源であれば、電源プラグにアース端子を設ける等の対策により、本体ハウジングに集まる（＋）電荷を逃がすこともできるため、上記形態のように放電経路のない充電式ブロワにおいて本発明は最も効果的となる。
【００１１】
【発明の効果】
請求項１に記載の発明によれば、前記ファンとその回転軸との少なくとも一方と、前記筒体とを夫々導電性材料で形成し、前記本体ハウジングに、前記排出筒へ連結された前記筒体と一端が接触する導電体を設け、前記導電体の他端を、前記導電性材料で形成された前記ファン又は前記回転軸に近接させたことで、回転するファンや回転軸であっても、導電体間に生じる放電を利用して、作業中に発生する本体ハウジングやファン、モータ側の静電気と、ダストバッグに発生する静電気とを中和させることができる。よって、作業者がハンドルを持つ際やダストバッグに手が触れたりする際に、静電気による放電が生じず、使用感を損ねることがないのである。
【図面の簡単な説明】
【図１】充電式ブロワの正面図である。
【図２】半割ハウジング３の説明図である。
【符号の説明】
１・・充電式ブロワ、２・・本体ハウジング、３，４・・半割ハウジング、６・・バッテリーパック、７・・スピンドル、８・・ファン、９・・吸入筒、１０・・排出筒、１１・・ダストバッグアッセンブリ、１２・・筒体、１３・・枠、１４・・ダストバッグ、１８，１９・・アースプレート。
【図１】
0003579305.tif 000002
【図２】
0003579305.tif 000003